(57)【要約】【課題】特別な点検装置を追加せずに現状の設備で対応可能なエレベータ点検装置を得る。【解決手段】エレベータ点検装置は、乗客がかごに乗車して行先釦が押されたことを検出する乗車検知手段と、乗客が乗車した階床を出発階とし且つ行先釦が押された階床を行先階と記憶する階床記憶手段と、点検を依頼する点検依頼手段と、液晶ディスプレイに異常が生じていることを判定する異常判定手段と、を有する。また、異常と判定したとき異常を通報する異常通報手段を有する。【選択図】図１
2011236028.tif 000002
【特許請求の範囲】
【請求項１】
乗客がかごに乗車して行先釦が押されたことを検出する乗車検知手段と、
乗客が乗車した階床を出発階とし且つ行先釦が押された階床を行先階と記憶する階床記憶手段と、
点検を依頼する点検依頼手段と、
液晶ディスプレイに異常が生じていることを判定する異常判定手段と、
を有することを特徴とするエレベータ点検装置。
【請求項２】
カメラの点検を依頼するカメラ点検依頼手段と、
上記カメラに異常が生じていることを判定する異常判定手段と、
を有することを特徴とする請求項１に記載のエレベータ点検装置。
【請求項３】
乗客がかごに乗車したことを検出する乗車検知手段と、
かごが行先階に到着して、かご扉及び乗場扉が開放されたことを検出した時点でかご負荷の計測を開始し、かご扉及び乗場扉が閉鎖されたことを検出した時点でかご負荷の計測を終了する負荷計測手段と、
行先階に到着したにも拘らず乗客が降りなかったとき液晶ディスプレイに異常が生じていると判定する異常判定手段と、
を有することを特徴とするエレベータ点検装置。
【請求項４】
液晶ディスプレイまたは液晶ディスプレイの周辺の振動を検出する加速度センサーと、  上記加速度センサーが計測する加速度信号を分析して、人が液晶ディスプレイまたはその周辺を叩いた波形を検出したとき液晶ディスプレイが未点灯として異常と判定する異常判定手段と、
を有することを特徴とするエレベータ点検装置。
【請求項５】
異常と判定したとき異常を通報する異常通報手段を有することを特徴とする請求項１乃至４のいずれかに記載のエレベータ点検装置。
【発明の詳細な説明】
【技術分野】
【０００１】
この発明は、エレベータかご内に配備されているディスプレイの表示状態を点検するエレベータ点検装置に関するものである。
【背景技術】
【０００２】
従来、かご内階床表示は冷陰極管表示器やドットマトリックスＬＥＤ表示器を用いるのが主流であったので、電流値のチェックなどの簡単な仕組みで異常検出が可能であった。ところが、最近は液晶ディスプレイを用いる例が増えてきている（例えば、特許文献１参照）。
【先行技術文献】
【特許文献】
【０００３】
【特許文献１】特開平８−１７５７７０号公報
【発明の概要】
【発明が解決しようとする課題】
【０００４】
しかし、かご内階床表示に液晶ディスプレイを用いると、液晶ディスプレイ自体の寿命やケーブル外れなどにより液晶ディスプレイの未点灯が生じるが、液晶ディスプレイが未点灯であることを検出するためには複雑な点検手段を追加しなければならず困難であるという問題がある。
【０００５】
この発明は、前記のような課題を解決するためになされたものであり、特別な点検装置を追加せずに現状の設備で対応可能なエレベータ点検装置を得ることを目的とする。
【課題を解決するための手段】
【０００６】
この発明に係るエレベータ点検装置は、乗客がかごに乗車して行先釦が押されたことを検出する乗車検知手段と、乗客が乗車した階床を出発階とし且つ行先釦が押された階床を行先階と記憶する階床記憶手段と、点検を依頼する点検依頼手段と、液晶ディスプレイに異常が生じていることを判定する異常判定手段と、を有する。
【発明の効果】
【０００７】
この発明に係るエレベータ点検装置は、通常のエレベータに設けられている行先釦とスピーカーとを利用し、エレベータ制御装置にエレベータ点検装置のプログラムをインストールするだけで、液晶ディスプレイの未点灯を点検することができる。また、乗客に点検を依頼して行えるので、保守員が訪問点検する必要がない。
【図面の簡単な説明】
【０００８】
【図１】この発明に係るエレベータの構成図である。
【図２】かご操作盤の外観図である。
【図３】この発明の実施の形態１に係るエレベータ点検装置の機能ブロック図である。
【図４】この発明の実施の形態１に係るエレベータ点検装置での点検ルーチンのフローチャートである。
【図５】この発明の実施の形態２に係るエレベータ点検装置の機能ブロック図である。
【図６】この発明の実施の形態２に係るエレベータ点検装置での点検ルーチンのフローチャートである。
【図７】この発明の実施の形態３に係るエレベータ点検装置の機能ブロック図である。
【図８】この発明の実施の形態３に係るエレベータ点検装置での点検ルーチンのフローチャートである。
【図９】この発明の実施の形態４に係るエレベータ点検装置のブロック図である。
【発明を実施するための形態】
【０００９】
以下、本発明のエレベータ点検装置の好適な実施の形態につき図面を用いて説明する。
実施の形態１．
図１は、この発明に係るエレベータの構成図である。図２は、かご操作盤の外観図である。
この発明に係るエレベータは、昇降路内を昇降するかご１、かご１内に設けられるかご操作盤２、かご１内に設けられるスピーカー３、乗場４に設けられる呼び釦５、エレベータを制御するエレベータ制御装置６、及びかご１内の負荷を計測する秤装置７、かご１内を撮影するカメラ８を備える。
かご操作盤２は、液晶ディスプレイで構成される方向灯１１及び位置表示灯１２、行先釦１３、戸開閉釦１４、インターホン釦１５、インターホン通話口１６が設けられている。方向灯１１は矢印の向きによりかごの運転方向を表示するし、位置表示灯１２は数字によりかご１の位置（階床）を表示する。
行先釦１３は、表面に数字が印刷された階床の数の釦からなり、釦を押すことにより行先階を入力することができる。
【００１０】
図３は、この発明の実施の形態１に係るエレベータ点検装置の機能ブロック図である。
この発明の実施の形態１に係るエレベータ点検装置は、エレベータ制御装置６に設けられ、乗客がかご１に乗車して行先釦１３が押されたことを検出する乗車検知手段２１と、現在の時刻が液晶ディスプレイの点検期間であるか判断する期間判断手段２２と、乗客が乗車した階床を出発階とし且つ行先釦１３が押された階床を行先階と記憶する階床記憶手段２３と、点検を依頼する点検依頼手段２４と、点検の返礼をする返礼手段２５と、液晶ディスプレイに異常が生じていることを判定する異常判定手段２６と、異常と判定したとき異常を通報する異常通報手段２７と、を有する。
【００１１】
図４は、この発明の実施の形態１に係るエレベータ点検装置での点検ルーチンのフローチャートである。
通常、エレベータは通常モードで運行されている。
ステップＳ１０１において、エレベータ制御装置６は、乗客がかご１に乗車して行先釦１３を押したことを検出したら、押された行先釦１３に対応する階床を行先階として登録する。
ステップＳ１０２において、現時刻が予め定められた液晶ディスプレイの点検期間内であるか否かを判断し、点検期間内であるときステップＳ１０３に進み、点検期間外であるとき点検ルーチンを終了する。
【００１２】
ステップＳ１０３において、出発階と行先階を記憶し、かご操作盤２の行先釦１３の入力に対する操作を点検モードに変え、かご１内のスピーカー３から「液晶ディスプレイの点検をお願いします。液晶ディスプレイが正しく表示されている場合は行先階を再度押して下さい。もし、液晶ディスプレイの表示に異常が見られる場合は出発された釦を押して下さい。」とお願いをアナウンスする。
ステップＳ１０４において、行先釦１３が押されたか否かを判断し、行先釦１３が押されたときステップＳ１０６に進み、行先釦１３が押されないときステップＳ１０５に進む。
ステップＳ１０５において、かご１が行先階に到着したか否かを判断し、かご１が行先階に到着した場合、点検ルーチンを終了し、かご１が行先階に到着しない場合、ステップＳ１０４に戻る。
【００１３】
ステップＳ１０６において、かご１内のスピーカー３から「液晶ディスプレイの点検に協力頂きありがとうございます。」とお礼をアナウンスする。
ステップＳ１０７において、押された行先釦１３が出発階または行先階のいずれに関わるかを調べ、行先階のとき点検ルーチンを終了し、出発階のときステップＳ１０８に進む。
ステップＳ１０８において、表示に異常が生じているとして検出回数をインクリメントする。
ステップＳ１０９において、検出回数が所定の回数以上か否かを判断し、検出回数が所定の回数以上のときステップＳ１１０に進み、検出回数が所定の回数未満のとき点検ルーチンを終了する。
ステップＳ１１０において、液晶ディスプレイに異常が発生していると図示しない監視センターに通報して点検ルーチンを終了する。
【００１４】
この発明の実施の形態１に係るエレベータ点検装置は、通常のエレベータに設けられている行先釦１３とスピーカー３とを利用し、エレベータ制御装置６にエレベータ点検装置のプログラムをインストールするだけで、液晶ディスプレイの未点灯を点検することができる。
また、乗客に点検を依頼して行えるので、保守員が訪問点検する必要がない。
【００１５】
実施の形態２．
図５は、この発明の実施の形態２に係るエレベータ点検装置の機能ブロック図である。
この発明の実施の形態２に係るエレベータ点検装置は、エレベータ制御装置６に設けられ、この発明の実施の形態１に係るエレベータ点検装置に、更にカメラ８の点検を依頼するカメラ点検依頼手段３１と、カメラ８の点検の返礼をするカメラ点検返礼手段３２と、カメラ８に異常が生じていることを判定するカメラ異常判定手段３３と、カメラ８が異常と判定したとき異常を通報するカメラ異常通報手段３４と、を有する。
【００１６】
図６は、この発明の実施の形態２に係るエレベータ点検装置での点検ルーチンのフローチャートである。
通常、エレベータは通常モードで運行されている。
ステップＳ２０１において、エレベータ制御装置６は、乗客がかご１に乗車して行先釦１３を押したことを検出したら、押された行先釦１３に対応する階床を行先階として登録する。
ステップＳ２０２において、現時刻が予め定められた液晶ディスプレイの点検期間内であるか否かを判断し、点検期間内であるときステップＳ２０３に進み、点検期間外であるとき点検ルーチンを終了する。
【００１７】
ステップＳ２０３において、出発階と行先階を記憶し、かご操作盤２の行先釦１３の入力に対する操作を点検モードに変え、かご１内のスピーカー３から「液晶ディスプレイの点検をお願いします。液晶ディスプレイが正しく表示されている場合は行先階を再度押して下さい。もし、液晶ディスプレイの表示に異常が見られる場合は出発された釦を押して下さい。」とお願いをアナウンスする。
ステップＳ２０４において、行先釦１３が押されたか否かを判断し、行先釦１３が押されたときステップＳ２０６に進み、行先釦１３が押されないときステップＳ２０５に進む。
ステップＳ２０５において、かご１が行先階に到着したか否かを判断し、かご１が行先階に到着した場合、点検ルーチンを終了し、かご１が行先階に到着しない場合、ステップＳ２０４に戻る。
【００１８】
ステップＳ２０６において、かご１内のスピーカー３から「液晶ディスプレイの点検に協力頂きありがとうございます。」とお礼をアナウンスする。
ステップＳ２０７において、押された行先釦１３が出発階または行先階のいずれに関わるかを調べ、行先階のときステップＳ２１１に進み、出発階のときステップＳ２０８に進む。
ステップＳ２０８において、表示に異常が生じているとして検出回数をインクリメントする。
ステップＳ２０９において、検出回数が所定の回数以上か否かを判断し、検出回数が所定の回数以上のときステップＳ２１０に進み、検出回数が所定の回数未満のとき点検ルーチンを終了する。
ステップＳ２１０において、液晶ディスプレイに異常が発生していると図示しない監視センターに通報して点検ルーチンを終了する。
ステップＳ２１１において、カメラ８がかご１内を撮影した画像を液晶ディスプレイに表示する。
ステップＳ２１２において、かご１内のスピーカー３から「カメラの点検に協力をお願いします。あなたの画像が正しく表示されている場合は行先階を再度押して下さい。もし、画像に異常が見られる場合は出発された釦を押して下さい。」とお願いをアナウンスする。
ステップＳ２１３において、行先釦１３が押されたか否かを判断し、行先釦１３が押されたときステップＳ２１５に進み、行先釦１３が押されないときステップＳ２１４に進む。
ステップＳ２１４において、かご１が行先階に到着したか否かを判断し、かご１が行先階に到着した場合、点検ルーチンを終了し、かご１が行先階に到着しない場合、ステップＳ２１３に戻る。
ステップＳ２１５において、かご１内のスピーカー３から「カメラの点検に協力頂きありがとうございます。」とお礼をアナウンスする。
ステップＳ２１６において、押された行先釦１３が出発階または行先階のいずれに関わるかを調べ、行先階のとき点検ルーチンを終了し、出発階のときステップＳ２１７に進む。
ステップＳ２１７において、カメラ８に異常が発生していると図示しない監視センターに通報して点検ルーチンを終了する。
【００１９】
この発明の実施の形態２に係るエレベータ点検装置は、通常のエレベータに設けられている行先釦１３とスピーカー３とを利用し、エレベータ制御装置６にエレベータ点検装置のプログラムをインストールするだけで、カメラ８の異常を点検することができる。
【００２０】
実施の形態３．
図７は、この発明の実施の形態３に係るエレベータ点検装置の機能ブロック図である。
この発明の実施の形態３に係るエレベータ点検装置は、エレベータ制御装置６に設けられ、乗客がかご１に乗車したことを検出する乗車検知手段４１と、かご１が行先階に到着して、かご扉及び乗場扉が開放されたことを検出した時点でかご負荷の計測を開始し、かご扉及び乗場扉が閉鎖されたことを検出した時点でかご負荷の計測を終了する負荷計測手段４２と、行先階に到着したにも拘らず乗客が降りなかったとき液晶ディスプレイに異常が生じていると判定する異常判定手段４３と、異常と判定したとき異常を通報する異常通報手段４４と、を有する。
【００２１】
図８は、この発明の実施の形態３に係るエレベータ点検装置での点検ルーチンのフローチャートである。
ステップＳ３０１において、エレベータ制御装置６は、乗客がかご１に乗車して行先釦１３を押したことを検出したら、押された行先釦１３に対応する階床を行先階として登録する。
ステップＳ３０２において、かご１が行先階に到着し、かご扉及び乗場扉が開放されたことを検出した時点でかご負荷の計測を開始し、かご扉及び乗場扉が閉鎖されたことを検出した時点でかご負荷の計測を終了する。
ステップＳ３０３において、計測した負荷の時系列データを分析してかご１から降車した人数を求める。
ステップＳ３０４において、求めた人数が１人以上であるか否かを判断し、１人以上の場合には点検ルーチンを終了し、０人の場合にはステップＳ３０５に進む。
ステップＳ３０５において、行先階に到着したにも拘らず乗客が降りなかったのは位置表示灯の表示が間違っているか未点灯であるとして検出回数をインクリメントする。
ステップＳ３０６において、検出回数が所定の回数以上か否かを判断し、検出回数が所定の回数以上のときステップＳ３０７に進み、検出回数が所定の回数未満のとき点検ルーチンを終了する。
ステップＳ３０７において、液晶ディスプレイに異常が発生していると監視センターに通報して点検ルーチンを終了する。
【００２２】
この発明の実施の形態３に係るエレベータ点検装置は、通常のエレベータに設けられている秤装置７を利用し、エレベータ制御装置６にエレベータ点検装置のプログラムをインストールするだけで、液晶ディスプレイの表示の間違いや未点灯を点検することができる。
【００２３】
実施の形態４．
図９は、この発明の実施の形態４に係るエレベータ点検装置のブロック図である。
この発明の実施の形態４に係るエレベータ点検装置は、液晶ディスプレイまたは液晶ディスプレイの周辺の振動を検出する加速度センサー５１と、加速度センサー５１が計測する加速度信号を分析して、人が液晶ディスプレイまたはその周辺を叩いた波形を検出したとき液晶ディスプレイが未点灯として異常と判定する異常判定手段５２と、異常と判定したとき異常を通報する異常通報手段５３と、を有する。
【００２４】
この発明の実施の形態４に係るエレベータ点検装置は、液晶ディスプレイの周辺に加速度センサー５１を設け、エレベータ制御装置６にエレベータ点検装置のプログラムをインストールするだけで、液晶ディスプレイの未点灯を点検することができる。
【符号の説明】
【００２５】
１  かご、２  かご操作盤、３  スピーカー、４  乗場、５  行先釦、６  エレベータ制御装置、７  秤装置、８  カメラ、１１  方向灯、１２  位置表示灯、１３  行先釦、１４  戸開閉釦、１５  インターホン釦、１６  インターホン通話口、２１、４１  乗車検知手段、２２  期間判断手段、２３  階床記憶手段、２４  点検依頼手段、２５  返礼手段、２６、４３、５２  異常判定手段、２７、４４、５３  異常通報手段、３１  カメラ点検依頼手段、３２  カメラ点検返礼手段、３３  カメラ異常判定手段、３４  カメラ異常通報手段、４２  負荷計測手段、５１  加速度センサー。
【図１】
2011236028.tif 000003
【図２】
2011236028.tif 000004
【図３】
2011236028.tif 000005
【図４】
2011236028.tif 000006
【図５】
2011236028.tif 000007
【図６】
2011236028.tif 000008
【図７】
2011236028.tif 000009
【図８】
2011236028.tif 000010
【図９】
2011236028.tif 000011